(57)【要約】【課題】上下の壁パネル間で実嵌合が為されない場合であっても、上下の壁パネル間の継目の止水を図ることができる壁パネル用シール部材を提供する。【解決手段】サンドイッチパネル１０を雄実１１と雌実１２とを嵌合させながら下段側から順次に積み上げ、ビス等によって柱や既存壁などに取り付ける。軒下などの張出し４４があり、サンドイッチパネル１０の上端が張出し４４と干渉するときには、サンドイッチパネル１０を現場寸法に合わせて水平方向に切断し、切断した上半側の残片よりなるサンドイッチパネル１０Ａを施工する。該パネル１０Ａの直下のサンドイッチパネル１０の上端に壁パネル用シール部材１を装着する。【選択図】図１
2007138434.tif 000002
【特許請求の範囲】
【請求項１】
第１の壁パネルの上端と該第１の壁パネルの上側に隣接配置される第２の壁パネルの下端との間をシールするための壁パネル用シール部材であって、
壁パネルへの取付時に該第１の壁パネルの上端面に対面する略平板状の基板と、該基板の両側辺から立設された１対の側板とを有し、該壁パネルの厚み方向における断面形状が略コ字状の嵌合部、及び
該基板から該側板の立設方向と反対方向に向けて突設された第１の突片部
を備えてなることを特徴とする壁パネル用シール部材。
【請求項２】
請求項１において、前記基板から前記側板の立設方向と同じ方向に向けて第２の突片部が突設されていることを特徴とする壁パネル用シール部材。
【請求項３】
請求項１又は２において、前記壁パネル用シール部材は前記第１の壁パネルの上部に沿って延在する長尺部材であり、前記第１の突片部及び／又は第２の突片部は該パネル用シール部材の一端から他端まで連続して延在していることを特徴とする壁パネル用シール部材。
【請求項４】
請求項１ないし３のいずれか１項において、少なくとも一方の前記側板から略コ字状の前記嵌合部の内側に向って凸部が突設されていることを特徴とする壁パネル用シール部材。
【請求項５】
請求項４において、該凸部は、該壁パネル用シール部材の長手方向に連続して延在していることを特徴とする壁パネル用シール部材。
【請求項６】
請求項１ないし５のいずれか１項において、前記厚み方向に位置を異ならせて複数のリップ状の前記第１の突片部が設けられており、少なくとも１対の該第１の突片部は、斜め上方であって前記基板から離れるほど互いに接近する方向へ向って突出していることを特徴とする壁パネル用シール部材。
【請求項７】
請求項１ないし６のいずれか１項において、前記厚み方向に位置を異ならせて複数のリップ状の前記第２の突片部が設けられており、少なくとも１対の該第２の突片部は、斜め下方であって前記基板から離れるほど互いに離れる方向へ向って突出していることを特徴とする壁パネル用シール部材。
【請求項８】
請求項１ないし７のいずれか１項において、前記厚み方向における該壁パネル用シール部材の断面形状が左右対称の形状となっていることを特徴とする壁パネル用シール部材。
【発明の詳細な説明】
【技術分野】
【０００１】
本発明は、壁パネル用シール部材に関するものである。詳しくは、上端面に雄実を有した第１の壁パネルの上段側に第２の壁パネルを施工するに際し、該第２の壁パネルとして第１の壁パネルを水平に切断した上側の残片を利用する場合に好適な壁パネル用シール部材に関するものである。
【背景技術】
【０００２】
建物の柱や既存壁面に壁パネルを留め付け、その上に塗装やタイル張りを施すことは周知である。
【０００３】
特開平１０−３１７５７９号公報には、この壁パネルとして、上端面に雄実を設け、下端面に雌実を設けたものが記載されている。下段側の壁パネルを施工した後、上段側の壁パネルを施工するに際し、この雄実を雌実に嵌合させる。この雄実と雌実とが嵌合することにより、上段側壁パネルに掛った水が壁パネルの前面即ち室外側表面に沿って流れ落ち、下段側壁パネルの裏側に回り込むことが防止される。
【特許文献１】特開平１０−３１７５７９号公報
【発明の開示】
【発明が解決しようとする課題】
【０００４】
第５図に示すように、上端に雄実４１を有し、下端に雌実４２を有した壁パネル４０を下段側から順次に壁パネルを積み上げて柱４３や既存壁面に取り付けていった場合において、例えば軒下などの張出し４４が張り出しているために最上段の壁パネル４０Ａとして、壁パネル４０を水平方向に切断して上下幅を小さくしたものを用いて納め込む場合がある。
【０００５】
水平に切断した壁パネルの下側残片を用いるときには、この下側残片に雌実４２が存在するから、この雌実４２を下段側壁パネル４０の雄実４１に嵌合させて水仕舞い（壁パネル４０の裏側への水の浸入防止）を図ることができる。
【０００６】
ところが、第５図のように切断した残片のうちの上側のもの４０Ａを利用するときには、雌実は無いので、実嵌合が為されず、実嵌合による水仕舞いを図ることができない。
【０００７】
本発明は、上下の壁パネル間で実嵌合が為されない場合であっても、上下の壁パネル間の継目の止水を図ることができる壁パネル用シール部材を提供することを目的とする。
【課題を解決するための手段】
【０００８】
請求項１の壁パネル用シール部材は、第１の壁パネルの上端と該第１の壁パネルの上側に隣接配置される第２の壁パネルの下端との間をシールするための壁パネル用シール部材であって、壁パネルへの取付時に該第１の壁パネルの上端面に対面する略平板状の基板と、該基板の両側辺から立設された１対の側板とを有し、該壁パネルの厚み方向における断面形状が略コ字状の嵌合部、及び該基板から該側板の立設方向と反対方向に向けて突設された第１の突片部を備えてなることを特徴とするものである。
【０００９】
請求項２の壁パネル用シール部材は、請求項１において、前記基板から前記側板の立設方向と同じ方向に向けて第２の突片部が突設されていることを特徴とするものである。
【００１０】
請求項３の壁パネル用シール部材は、請求項１又は２において、前記壁パネル用シール部材は前記第１の壁パネルの上部に沿って延在する長尺部材であり、前記第１の突片部及び／又は第２の突片部は該パネル用シール部材の一端から他端まで連続して延在していることを特徴とするものである。
【００１１】
請求項４の壁パネル用シール部材は、請求項１ないし３のいずれか１項において、少なくとも一方の前記側板から略コ字状の前記嵌合部の内側に向って凸部が突設されていることを特徴とするものである。
【００１２】
請求項５の壁パネル用シール部材は、請求項４において、該凸部は、該壁パネル用シール部材の長手方向に連続して延在していることを特徴とするものである。
【００１３】
請求項６の壁パネル用シール部材は、請求項１ないし５のいずれか１項において、前記厚み方向に位置を異ならせて複数のリップ状の前記第１の突片部が設けられており、少なくとも１対の該第１の突片部は、斜め上方であって前記基板から離れるほど互いに接近する方向へ向って突出していることを特徴とするものである。
【００１４】
請求項７の壁パネル用シール部材は、請求項１ないし６のいずれか１項において、前記厚み方向に位置を異ならせて複数のリップ状の前記第２の突片部が設けられており、少なくとも１対の該第２の突片部は、斜め下方であって前記基板から離れるほど互いに離れる方向へ向って突出していることを特徴とするものである。
【００１５】
請求項８の壁パネル用シール部材は、請求項１ないし７のいずれか１項において、前記厚み方向における該壁パネル用シール部材の断面形状が左右対称の形状となっていることを特徴とするものである。
【発明の効果】
【００１６】
本発明によると、壁パネル用シール部材の嵌合部を下段側壁パネル（第１の壁パネル）の上端に嵌合させておき、該シール部材の第１の突片部を上段側壁パネル（第２の壁パネル）の下端面に当接させることにより、上下の壁パネル間の止水を図ることができる。本発明の壁パネル用シール部材を用いると、上段側壁パネルの下端面に雌実が無い場合でも十分に止水を行うことができる。
【００１７】
なお、この嵌合部は、基板及び１対の側板を有したコ字形状となっているので、嵌合部を下段側壁パネルの上端にしっかりと装着することができる。
【００１８】
また、この基板から下方へ第２の突片部を突設しておき、第２の突片部を下段側壁パネルの上端面に当接させることにより、該下段側壁パネルと嵌合部との間の防水効果が向上する。
【００１９】
さらに、第１及び／又は第２の突片部をシール部材の一端から他端にまで延在させることにより、シール部材の全長にわたって十分な止水効果を得ることができる。
【００２０】
また、前記側板から嵌合部の内側へ向って凸部を突設しておき、この凸部を壁パネルの前面及び／又は後面に当接させることにより、側板に押圧力が加えられてもシール部材が変形しにくい。
【００２１】
また、前記第１の突片部をリップ状のものとし、壁パネルの厚み方向に位置を異ならせて複数個設けることにより、上段側壁パネルと壁パネル用シール部材との間の止水効果が著しく向上する。また、このうち少なくとも１対の第１の突片部を、基板から離れるほど互いに接近するように略ハ字形に設けることにより、室外からの水の浸入を防止でき、且つ、壁パネル用シール部材の上側に上段側壁パネルを取り付ける際に、作業性が良好なものとなる。
【００２２】
さらに、前記第２の突片部をリップ状のものとし、壁パネルの厚み方向の異なる位置に複数個設けることにより、下段側壁パネルと嵌合部との間の止水効果も向上する。また、このうち少なくとも１対の第２の突片部を、基板から離れるほど互いに離反するように略ハ字形に設けることにより、これらの第２の突片部を下段側壁パネルの上端面に安定して当接させることができ、パネルに取り付けた際のシール部材のがたつきを防止することができる。
【００２３】
壁パネルの厚み方向における壁パネル用シール部材の垂直断面形状が（この断面と向かい合った人から見て）左右対称の形状となるように構成することにより、この壁パネル用シール部材に方向性が生じない（即ち、どちらの側板が壁パネルの前面側（又は後面側）となるように壁パネル用シール部材が取り付けられても、その機能・効果に差が生じない）ため、作業性が良好なものとなる。
【発明を実施するための最良の形態】
【００２４】
以下、図面を参照して実施の形態について説明する。第１図は実施の形態に係る壁パネル用シール部材を用いた壁を示す断面図、第２図は同分解斜視図、第３，４図はサンドイッチパネルを示す断面図と斜視図、第６図は下段側壁パネルに壁パネル用シール部材を取り付けた状態を示す断面図、第７図は上段側壁パネルを取り付けた状態を示す断面図、第８，９図は壁パネル用シール部材の他の構成例を示す断面図、第１０〜１２図は壁パネルの端部形状の変形例を示す断面図、第１３図はサンドイッチパネル以外の壁パネルを用いた実施の形態の一例を示す断面図である。なお、本発明における上下とは、重力方向を下向きとする。
【００２５】
この実施の形態では、壁パネルとしてサンドイッチパネル１０を用いている。第３，４図の通り、このサンドイッチパネル１０は、前面即ち壁パネルの室外側表面を構成する第１金属板１１と、後面即ち室外側表面を構成する第２金属板１２と、第１金属板１１と第２金属板１２との間に一体に設けられた発泡ポリウレタンフォーム等からなる断熱材１３とを有している。なお、該第１金属板１１及び第２金属板１２は、通常、亜鉛メッキ鋼板（ガルバリウム鋼板）や、アルミ板等よりなる。
【００２６】
サンドイッチパネル１０の上端面には、他の部分より厚みを小さくするようにして雄実１０ａが形成され、下端面には、雄実１０ａが挿入され得る形状の雌実１０ｂが形成されている。各金属板１１，１２の上端側は、それぞれ雄実１０ａの前面及び後面をも覆っている。また、各金属板１１，１２の下端側は、サンドイッチパネル１０の前面側及び後面側から雌実１０ｂ内に回り込み、これらの最上部には、防水シート２１が貼着されている。雌実１０ｂの奥端面にはゴムパッキン１０ｃが設けられている。
【００２７】
このサンドイッチパネル１０を壁面に取り付けるには、前記第５図のように、雄実１１と雌実１２とを嵌合させながら下段側から順次に積み上げ、ビス等によって柱や既存壁などに取り付ける。
【００２８】
前記第５図のように、軒下などの張出し４４があり、サンドイッチパネル１０の上端が張出し４４と干渉するときには、サンドイッチパネル１０を現場寸法に合わせて水平方向に切断し、高さを合わせて施工する。この実施の形態では、切断したサンドイッチパネル１０の上半側のサンドイッチパネル１０Ａを用いている。このサンドイッチパネル１０Ａには雌実１０ｂがなく、実嵌合が為されないので、サンドイッチパネル１０Ａの下側に配置されるサンドイッチパネル１０の上端に壁パネル用シール部材１を装着する。その後、パネル１０Ａ上端を張出し（軒下）４４へ斜め方向から挿し込み、パネル１０の真上から該シール部材１の上部にパネル１０Ａの下端面を当接させた状態で載置する。
【００２９】
シール部材１は、サンドイッチパネル１０の上端に外嵌する嵌合部２と、該嵌合部２から長手方向に連続して、互いに平行に突設されており、サンドイッチパネル１０Ａの下端面に当接する平行な２条の第１の突片部３とを備えている。各第１の突片部３は、この実施の形態ではリップ状の突片として、変形時に互いに干渉せず、パネル１０の表面から突出しない長さに形成されている。室外側に位置する第１の突片部３ａは、壁パネル１０Ａの取付時にパネル１０Ａの下端に引っ掛かって反転する等の変形を起こしたり、破損したりすることを防止するために、室内側に向けて傾いた状態で形成され、室内側の第１の突片部３ｂは、水の侵入を良好に防止することができるように、室外側に向けて傾いた状態で形成されており、嵌合部２から離れるほど相互間の距離が小さくなるように断面略ハ字形を為している。
【００３０】
嵌合部２は、ＰＰ、ＡＢＳ、硬質ＰＶＣなどの弾性変形可能な硬質樹脂からなり、サンドイッチパネル１０の上端面に対面する基板４と、該基板４の両側辺から立設されて、雄実１０ａの表裏両面に対面する１対の側板５ａ，５ｂとを有する。
【００３１】
この基板４から嵌合部２の内方に向って２条の第２の突片部６，６が突設されている。また、各側板５ａ，５ｂから嵌合部２の内方に向ってそれぞれ凸部７，７が突設されている。
【００３２】
この実施の形態では、上記第１の突片部３、第２の突片部６は、パネル１０，１０Ａからの押圧力により変形可能な程度の硬度を有するオレフィン系やスチレン系等の熱可塑性エラストマー（ＴＰＥ）、軟質ＰＶＣなどの軟質樹脂で構成されている。このような軟質樹脂で各突片部３，６を構成することにより、各突片部３，６がパネル１０，１０Ａに密着可能でシール性が高い。また、各突片部３，６の変形量も多くとれるため、パネル１０，１０Ａ間のバラツキ（取付誤差等）にも対応しやすい。
【００３３】
なお、上記の硬質樹脂とはＪＩＳのＤ硬度で５０°以上のものをいう。このＤ硬度が５０°以下では壁パネルへの十分なホールド感が得られず、組付け性が良くない。また、軟質樹脂とはＪＩＳのＡ硬度で５０〜８５°程度のものをいい、特にＡ硬度が７０〜７５°程度のものが好ましい。このＡ硬度が５０°以下では柔らかすぎるため防水機能や耐久性が得られないおそれがあり、８５°以上では硬すぎて壁パネルへの追従性が良くないため、防水機能に支障をきたすおそれがある。軟質樹脂からなる部分と硬質樹脂からなる部分とは共押出成形によって一体に成形することができる。
【００３４】
第２の突片部６，６は、外部からの水の侵入を防ぎ、且つパネル端部への取付が安定するように、基板４から離れるほど相互間の距離が大きくなる断面略ハ字形に設けられている。
【００３５】
この実施の形態では、凸部７，７もそれぞれリップ状の突片よりなり、各側板５ａ，５ｂの先端付近から基板４に向って斜めに突設されている。また、これらの凸部７，７は、嵌合部２と一体に形成されている。また、凸部７，７同士の間隔は雄実１０ａの厚さより狭く設定され、嵌合部２や凸部７，７が弾性変形可能な材料からなるため、これらの凸部７，７によりパネル１０を挟持することができる。さらに、側板５ａに押圧力が掛かっても、該側板５ａとパネル１０との間にこの凸部７が介在しているため、該側板５ａが変形しにくく、後述のように該側板５ａにパテ等の接着剤を塗布した際にその表面にへこみが生じることを防ぐことができる。
【００３６】
このシール部材１は、サンドイッチパネル１０の上端の一端から他端まで延在する長尺部材であり、嵌合部２、各突片部３，６及び凸部７もシール部材１の一端から他端まで連続して延在している。
【００３７】
この嵌合部２が雄実１０ａに上方から嵌合し、第２の突片部６，６が雄実１０ａの上端面に密着し、凸部７，７が雄実１０ａの表裏両面に当接している。
【００３８】
雄実１０ａは、サンドイッチパネル１０の前面及び後面のいずれからも若干後退しており、雄実１０ａとサンドイッチパネル１０の前面及び後面との間に段差が存在する。側板５ａ，５ｂはこの段差内に納まっており、シール部材１はサンドイッチパネル１０の前面及び後面から突出しないようになっていることが好ましい。
【００３９】
パネル１０Ａを載置する際には、第６図のように、このシール部材１をサンドイッチパネル１０の上端に装着し、次いで、第７図のように、このシール部材１の上方にサンドイッチパネル１０Ａを配置する。この際、突片部３，３がサンドイッチパネル１０Ａの下端面に密着する。このため、サンドイッチパネル１０Ａの前面に掛った水は、サンドイッチパネル１０Ａ，１０の裏側に浸入することなく、サンドイッチパネル１０の前面に沿って流れ落ちる。
【００４０】
この実施の形態では、サンドイッチパネル１０Ａとしてサンドイッチパネル１０の切断した上側の部分を利用しているので、パネル１０Ａの準備が容易であり、且つ材料の無駄を回避することができる。
【００４１】
この実施の形態では、上記のようにサンドイッチパネル１０，１０Ａを施工した後、サンドイッチパネル１０，１０Ａの板間の継目に跨ってパネル１０の前面からネット８を当て、パテ等の接着剤９を塗着し、接着剤９内にネット８を塗り込める。その後、サンドイッチパネル１０，１０Ａの前面側に塗り仕上げやタイル張り仕上げ等の仕上げ処理を施すことにより、美麗な壁を構築することができる。なお、接着剤９を塗った際に、この接着剤９が側板５ａの部分でパネル１０，１０Ａの前面から盛り上がらないようにするために、パネル端部への取付時にシール部材１の該側板５ａがパネル１０，１０Ａの前面から１〜２ｍｍ後退した位置に設置するよう構成することが好ましい。
【００４２】
また、上記のようにシール部材１を介在させてパネル１０，１０Ａを施工した際に、該側板５ａの上下方向の長さが雄実１０ａの高さとほぼ同じ長さになるように側板５ａを形成すると、該側板５ａの先端と雄実１０ａの根元部分との隙間が小さくなるため、接着剤９の内側に水が侵入しても、嵌合部２の内側まで浸水することがより一層効果的に防止される。
【００４３】
なお、側板５ａが接着剤９と接着しにくい材質の場合には、側板５ａを短くし、雄実１０ａの前面側の金属板１１を露出させて接着剤９との接着を強固にすることも可能である。
【００４４】
この実施の形態では、嵌合部２を基板４及び１対の側板５ａ，５ｂを有したコ字形状とし、この基板４に第２の突片部６を設け、各側板５ａ，５ｂに凸部７を設けて雄実１０ａを挟持し、これらの突片部６及び凸部７を雄実１０ａに密着させるようにしているので、嵌合部２を雄実１０ａにしっかりと装着することができると共に、嵌合部２の内面と雄実１０ａの外面との間の水密性を十分に高くすることができる。
【００４５】
上記実施の形態は本発明の一例であり、本発明は図示以外の形態をもとりうる。上記実施の形態では突片部３，６及び凸部７を嵌合部２と一体に設けているが、弾性材料（例えば軟質樹脂やゴム）よりなる別体の細棒状部材を嵌合部２に接着等により取り付けて突片部３，６及び凸部７の代替としてもよい。また、突片部３，６及び凸部７と嵌合部２とを同一の材料から形成してもよい。嵌合部２としては上記硬質樹脂だけでなく、鋼板、アルミ板などの金属材料も用いることができる。
【００４６】
上記の実施の形態では、嵌合部２の側板５ａ，５ｂは略同じ上下方向の長さ即ち上下幅を有しているが、一方の上下幅が他方の上下幅よりも大きくてもよい。また、各側板５ａ，５ｂの上下幅は、嵌合部２を下段側のパネル１０の雄実１０ａに装着した状態において、第２の実施形態である第８図のシール部材１Ａの側板５ｂのように、該雄実１０ａの上端から上下方向の途中部（中間付近）までを覆う程度の大きさとなっていてもよい。
【００４７】
また、上記の実施の形態では、各側板５ａ，５ｂから嵌合部２の内側へ向ってそれぞれ１個の凸部７が突設されているが、第８図のシール部材１Ａのように、上下に位置を異ならせて２個以上の凸部７が設けられてもよい。
【００４８】
なお、この第８図のシール部材１Ａにおいては、雄実１０ａの前面側に配置される側板５ａ’のみが、該雄実１０ａの上端から根元付近までを覆う程度の上下幅となっており、雄実１０ａの後面側に配置される側板５ｂは、前述の実施の形態と同様、該雄実１０ａの上端から上下方向の途中部までを覆う程度の上下幅となっている。ただし、この雄実１０ａの後面側の側板５ｂも、該雄実１０ａの上端から根元付近までを覆う程度の上下幅となっていてもよい。
【００４９】
また、略コ字状の嵌合部２は、例えば、側板５ａが基板４の上面から上方へ若干突出していてもよく、該基板４が側板５ａの前面から前方へ若干突出していてもよい。
【００５０】
上記の各実施の形態では、凸部は、いずれもリップ状の突片の如き形状となっているが、凸部の形状はこれに限定されるものではない。例えば、第９図のシール部材１Ｂにおける凸部７’のように、パネル１０の厚み方向の断面形状が略方形の凸条の如き形状であってもよい。この凸部７’にあっては、その側板５ａ，５ｂからの突出方向の先端面がパネル１０の前面及び後面に対し一様に面接触する。もちろん、凸部はこれ以外の形状であってもよい。
【００５１】
本発明の壁パネル用シール部材が装着される壁パネルの上端部（及び切断される前の下端部）の形状は、上記の各実施の形態の形状に限定されるものではない。第１０〜１２図に、それぞれ壁パネルの端部の形状の変形例を示す。
【００５２】
例えば、第１０図のサンドイッチパネル１０’は、その上端部に雌実１０ｂ’が設けられ、下端側に雄実（図示略）が設けられた構成となっている。符号１０ｃは、この雌実１０ｂ’の奥端面に設けられたパッキンを示している。
【００５３】
なお、図示はしないが、このサンドイッチパネル１０’の下端面の前縁側からは、該サンドイッチパネル１０’の前面を下方に延長するようにして、下段側のサンドイッチパネル１０’の上端部の前面側に重なる垂下片が垂設されている。符号１０ｄは、サンドイッチパネル１０’の該上端部の前面を後退させるようにして形成された、該垂下片が嵌合する凹段部を示している。該凹段部１０ｄの上下方向の途中部には、該垂下片の後面から突設された位置決めないしズレ防止用の凸部が嵌合する凹溝１０ｅが設けられている。
【００５４】
図示の通り、この実施の形態では、シール部材１は、嵌合部２が該雌実１０ｂ’を含めてサンドイッチパネル１０’の上端側のほぼ全域を覆うように装着される。この際、嵌合部２の内側の第２の突片部６は、該雌実１０ｂ’に入り込み、該雌実１０ｂ’の奥底面（パッキン１０ｃ）に当接する。
【００５５】
なお、この実施の形態でも、このシール部材１の上側に配置されたサンドイッチパネル１０Ａ’は、現場寸法に合わせてサンドイッチパネル１０’の下半側を切除した上半側の残片である。
【００５６】
この実施の形態のその他の構成及び施工手順等は前述の第１〜７図の第１実施形態と同様であり、第１０図において第１〜７図と同一部分に同一符号を付すことにより、説明を省略する。
【００５７】
第１１図のサンドイッチパネル１０''は、上端部に、雄実１０ａ’と雌実１０ｆとが該サンドイッチパネル１０''の厚み方向（前後方向）に隣接して形成された構成となっている。この第５実施形態では、雄実１０ａ’がサンドイッチパネル１０''の前面側に配置され、雌実１０ｆがサンドイッチパネル１０''の後面側に配置されている。図示はしないが、サンドイッチパネル１０''の下端部には、下段側のサンドイッチパネル１０''の該雄実１０ａ’が係合する雌実と、該雌実１０ｆに係合する雄実とが、該雄実１０ａ’及び雌実１０ｆと対応する位置関係（サンドイッチパネル１０''の上端側と下端側とで雄実と雌実の並びが前後逆となる位置関係）にて形成されている。
【００５８】
図示の通り、この実施の形態では、シール部材１は、後側の側板５ｂを雌実１０ｆに入り込ませるようにして該雄実１０ａ’に被せ付けられている。
【００５９】
なお、この実施の形態でも、シール部材１の上側に配置されたサンドイッチパネル１０Ａ''は、現場寸法に合わせてサンドイッチパネル１０''の下半側を切除した上半側の残片である。
【００６０】
この実施の形態のその他の構成及び施工手順等も前述の第１〜７図の第１実施形態と同様である。
【００６１】
上記の各実施の形態のサンドイッチパネル１０，１０’，１０''は、いずれも上下両端部に実嵌合構造を有したものとなっているが、当然ながら、本発明の壁パネル用シール部材は、第１２図のサンドイッチパネル１０'''のように、上下両端部に実嵌合構造を有していないサンドイッチパネル同士の継ぎ目のシールにも用いることができる。
【００６２】
なお、この第１２図の第６実施形態では、最下段のサンドイッチパネル１０'''から最上段のサンドイッチパネル１０'''まで、いずれも上端部にシール部材１を装着しつつ積み上げていく。
【００６３】
この実施の形態のその他の構成及び施工手順等も前述の第１〜７図の第１実施形態と同様である。
【００６４】
本発明は、第１３図に示した第７実施形態のように、サンドイッチパネル以外の壁パネルを用いた場合にも適用可能である。
【００６５】
この第１３図の実施の形態では、壁パネルとして窯業系サイディング２０が用いられている。このサイディング２０の上端部の後縁側には上方へ張り出す相決り実部２０ａが突設されており、下端部の前縁側には、下方へ張り出して下段側のサイディング２０の該実部２０ａの前面に重なる相決り実部（図示略）が設けられている。図示の通り、この実施の形態では、シール部材１は実部２０ａに被せ付けられている。
【００６６】
なお、この実施の形態でも、シール部材１の上側に配置されたサイディング２０Ａは、現場寸法に合わせてサイディング２０の下半側を切除した上半側の残片である。
【００６７】
この実施の形態のその他の構成及び施工手順等も前述の第１〜７図の第１実施形態と同様である。
【図面の簡単な説明】
【００６８】
【図１】実施の形態を示す縦断面図である。
【図２】実施の形態を示す分解斜視図である。
【図３】（ａ）図はサンドイッチパネルの全体断面図、（ｂ），（ｃ）図はサンドイッチパネルの上部及び下部の拡大図である。
【図４】サンドイッチパネルの斜視図である。
【図５】壁パネルの施工納まりを示す縦断面図である。
【図６】下段側壁パネルに壁パネル用シール部材を取り付けた状態を示す断面図である。
【図７】上段側壁パネルを取り付けた状態を示す断面図である
【図８】壁パネル用シール部材の他の構成例を示す断面図である。
【図９】壁パネル用シール部材の他の構成例を示す断面図である。
【図１０】壁パネルの端部形状の変形例を示す断面図である。
【図１１】壁パネルの端部形状の変形例を示す断面図である。
【図１２】壁パネルの端部形状の変形例を示す断面図である。
【図１３】サンドイッチパネル以外の壁パネルを用いた実施の形態の一例を示す断面図である。
【符号の説明】
【００６９】
１，１Ａ，１Ｂ  壁パネル用シール部材
２  嵌合部
３ａ，３ｂ  第１の突片部
４  基板
５ａ，５ａ’，５ｂ  側板
６  第２の突片部
７，７’  凸部
１０，１０’，１０''，１０'''，１０Ａ，１０Ａ’，１０Ａ''  サンドイッチパネル
２０，２０Ａ  窯業系サイディング
【図１】
2007138434.tif 000003
【図２】
2007138434.tif 000004
【図３】
2007138434.tif 000005
【図４】
2007138434.tif 000006
【図５】
2007138434.tif 000007
【図６】
2007138434.tif 000008
【図７】
2007138434.tif 000009
【図８】
2007138434.tif 000010
【図９】
2007138434.tif 000011
【図１０】
2007138434.tif 000012
【図１１】
2007138434.tif 000013
【図１２】
2007138434.tif 000014
【図１３】
2007138434.tif 000015
【手続補正書】
【提出日】平成17年12月14日(2005.12.14)
【手続補正１】
【補正対象書類名】明細書
【補正対象項目名】００２５
【補正方法】変更
【補正の内容】
【００２５】
この実施の形態では、壁パネルとしてサンドイッチパネル１０を用いている。第３，４図の通り、このサンドイッチパネル１０は、前面即ち壁パネルの室内側表面を構成する第１金属板１１と、後面即ち室外側表面を構成する第２金属板１２と、第１金属板１１と第２金属板１２との間に一体に設けられた発泡ポリウレタンフォーム等からなる断熱材１３とを有している。なお、該第１金属板１１及び第２金属板１２は、通常、亜鉛メッキ鋼板（ガルバリウム鋼板）や、アルミ板等よりなる。
【手続補正２】
【補正対象書類名】図面
【補正対象項目名】図１
【補正方法】変更
【補正の内容】
【図１】
2007138434.tif 000016
【手続補正３】
【補正対象書類名】図面
【補正対象項目名】図６
【補正方法】変更
【補正の内容】
【図６】
2007138434.tif 000017
【手続補正４】
【補正対象書類名】図面
【補正対象項目名】図７
【補正方法】変更
【補正の内容】
【図７】
2007138434.tif 000018
【手続補正５】
【補正対象書類名】図面
【補正対象項目名】図８
【補正方法】変更
【補正の内容】
【図８】
2007138434.tif 000019
【手続補正６】
【補正対象書類名】図面
【補正対象項目名】図９
【補正方法】変更
【補正の内容】
【図９】
2007138434.tif 000020
【手続補正７】
【補正対象書類名】図面
【補正対象項目名】図１０
【補正方法】変更
【補正の内容】
【図１０】
2007138434.tif 000021
【手続補正８】
【補正対象書類名】図面
【補正対象項目名】図１１
【補正方法】変更
【補正の内容】
【図１１】
2007138434.tif 000022
【手続補正９】
【補正対象書類名】図面
【補正対象項目名】図１２
【補正方法】変更
【補正の内容】
【図１２】
2007138434.tif 000023
【手続補正１０】
【補正対象書類名】図面
【補正対象項目名】図１３
【補正方法】変更
【補正の内容】
【図１３】
2007138434.tif 000024